(57)【特許請求の範囲】
【請求項１】
採光部をシートの開閉により遮断する開閉駆動装置において、
採光部の開閉方向には、一端から他端に伝達軸を配置して、
前記伝達軸は、駆動モータの回転を伝達可能にして、断面を異形の形状にする係合部を備え、
前記係合部には、前記伝達軸上を摺動可能にする同じ断面形状の通孔を備えた第１回転伝達体を貫通させ、
前記第１回転伝達体には、第２回転伝達体を噛合せ、該第２回転伝達体に支持軸を連結し、該支持軸に前記伝達軸からの駆動回転を伝達する駆動輪を軸着して、
前記駆動輪は、前記伝達軸に沿ってシートの開閉方向に移動して、
前記支持軸は、シートを支持して牽引することを特徴とするシートの開閉駆動装置。
【請求項２】
前記駆動輪は、前記伝達軸に沿って配置する上昇ヒモと下降ヒモとを巻き取り・巻き戻しすることで、前記支持軸を移動させることを特徴とする請求項１記載のシートの開閉駆動装置。
【請求項３】
前記伝達軸は、採光部が曲線状態のとき、曲線に沿って配置可能な可撓体とすることを特徴とする請求項１又は２記載のシートの開閉駆動装置。
【発明の詳細な説明】
【０００１】
【発明の属する技術分野】
本発明は、採光部をシートを移動させることで遮蔽するシートの開閉駆動装置に関するものである。
【０００２】
【従来の技術】
従来の採光部を遮蔽するシートの開閉駆動装置の中で、採光部の鉛直方向にシートを吊下げていたものは、シートを採光部の上部に備えた巻取りドラムに多重に巻かれ、巻取りドラムを回転させる駆動モータの回転により、シートの自重で下降させ、採光部を遮蔽したり、上昇させて開口したりしていた。
【０００３】
また、採光部の水平方向に開閉するものは、採光部の上部に駆動モータを備え、エンドレス状に巻き掛けたロープ等に係合させたシートを送り出してたり、引き込んだりして開閉していた。
【０００４】
【発明が解決しようとする課題】
しかし、従来の鉛直方向にシートを吊下げたものは、シートの自重により下降するようにしているため、軽い材質のシートには重りを搭載して下降させて、鉛直方向の垂直面の開閉が可能になっているが、傾斜面とか曲線面・水平面・下から上昇するもの等の駆動が不可能であった。
【０００５】
また、水平方向にエンドレスのロープを巻回したものでも、直線方向の垂直面の開閉が可能になるが、傾斜面・曲線面・水平面の開閉が不可能であった。従来のシートの開閉駆動装置は、垂直面の直線状の開閉しか出来なかった。
【０００６】
本発明は、傾斜面・曲線面・水平面の遮光部を開閉動作可能にすることを目的にしたもので、開閉するシートの先端部を自走する駆動部にすることで、シートの開閉を先端部が駆動して傾斜面・曲線面・水平面を動作し、更に、下から上昇することも出来るシートの開閉装置を提供することにある。
【０００７】
【課題を解決するための手段】
請求項１の発明は、採光部をシートの開閉により遮蔽する開閉駆動装置であり、採光部の開閉方向の一端から他端に伝達軸を配設する。伝達軸には、駆動モータの回転を伝達可能に設け、断面を異形の形状にする係合部を備える。係合部は、伝達軸上を摺動可能にする同じ断面形状の通孔を備え貫通させた第１回転伝達体を設ける。第１回転伝達体の回転は、第２回転伝達体と噛合い、第２回転伝達体に支持軸を連結し、この支持軸に伝達軸からの駆動回転を伝達する駆動輪を軸着する。駆動輪は、伝達軸に沿って開閉方向に移動する。支持軸は、シートを牽引して伝達軸に沿ってシートを移動させる構成にする。
【０００８】
請求項２の発明は、駆動輪が伝達軸に沿って配置した索状体を巻き掛け、索状体である上昇ヒモと下降ヒモとを巻き取り・巻き戻しすることで、支持軸を移動させることにより、シートを移動させる構成とする。
請求項３の発明は、伝達軸を採光部が曲線状態のとき、曲線に沿って配置可能な可撓体とする構成にする。
【０００９】
請求項１の構成では、伝達軸より駆動力を供給して摺動することができるので、フレームがシートを牽引して自走することが可能になり、水平面・曲面・傾斜面・昇り面等の採光部を遮蔽することができる作用がある。
【００１０】
請求項２の構成では、索状体を巻き上げ巻き戻しすることでシートを牽引することができる作用がある。
【００１１】
請求項３の構成では、伝達軸を樹脂・ゴム・スプリング・ワイヤ等にすることで、駆動輪の走行方向を直線に限定するものでなく、湾曲・異形状を走行可能にする作用がある。
【００１２】
【発明の実施の形態】
本発明の実施の形態について、採光部の鉛直方向に移動する遮蔽体の駆動装置について第１の実施形態を図１乃至図２で示し、採光部の水平方向に移動する遮蔽体の駆動装置について第２の実施形態を図３乃至図５に示して説明する。
（第１実施形態）
図１は、窓・出入口等の開口を採光部Ｓとして説明する。採光部Ｓには、シート１３が上下動して閉鎖の動作をすることで、光の遮蔽と出入りの停止をする作用があり、開口することで採光作用と出入り可能にする作用があり、シート１３をビニール・布・合成樹脂シートによるシートシャッター開閉機・電動カーテン・電動ロールカーテン等に採用する。
【００１３】
採光部Ｓは、一例として鉛直方向に開閉する四角状のもので説明すると、上部にシートＳを巻取りドラム５に巻回して、巻取りドラム５に駆動モータ２を内蔵している。駆動モータ２は、巻取りドラム５を駆動回転させるものではなく、シート１３の先端に備えた支持軸１１を自走させるための駆動源にするものである。  シート１３は巻取りドラム５に巻回されていて、シート１３の先端に備えた支持軸１１が自走することで、シート１３を引き下げて採光部Ｓを遮蔽することができる。
【００１４】
採光部Ｓの開口は、駆動モータ２が支持軸１１を上昇させると、巻取りドラム５に内蔵された巻き上げばね６の付勢力により巻取りドラム５を回転させてシート１３を巻き上げることが出来る。駆動モータ２の回転は、歯車の伝達で伝達軸３に伝えられる。伝達軸３は、シート１３の開閉方向に設けられ、回転可能にしてあり、駆動モータ２の回転で回転する。  伝達軸３には第１回転伝達体９が軸方向へ摺動可能に設置され、円周方向へ係合するように断面を角形状・半丸形状等の異形にして駆動モータ２の駆動回転を伝達する。
【００１５】
第１回転伝達体９は、伝達軸３の軸上ならどの位置からも駆動回転を取り出すことができる。第１回転伝達体９と噛合う第２回転伝達体１０は、図２に示すように支持軸１１に固定されている。支持軸１１は、シート１３の通し袋１８に挿入され、両端に駆動輪１２を固定している。第１回転伝達体９と第２回転伝達体１０とは、噛合った状態でフレーム８に組み込まれている。駆動輪１２は、シート１３の移動方向に配置された一方側のガイドレール１９に沿って移動し、他方側にはガイドレール１９側から支持軸１１により伝達される駆動輪１２がある。
【００１６】
駆動輪１２の移動は、ガイドレール１９に当接する駆動輪１２としてもよいが、図２の駆動輪１２に索状体を採用して、上昇ヒモ１４と下降ヒモ１５が巻き掛けられ、支持軸１１が回転すると駆動輪１２が回転して、上昇ヒモ１４か下降ヒモ１５かの一方を巻き取り、他方を巻き戻しすることで、支持軸１１の両端を支持して上下動することができる。図２の伝達軸３では角材を使用して、第１回転伝達体９をベベルギヤにして、伝達軸３の角材と同じ断面形状の通孔としている。
【００１７】
第１回転伝達体９が回転すると、第２回転伝達体１０が回転して、支持軸１１を回転させる。支持軸１１が回転すると、支持軸１１の両端の駆動輪１２が回転して、上昇ヒモ１４と下降ヒモ１５を巻き取り巻き戻ししてシート１３を移動させる。シート１３の移動は、下降するとき支持軸１１がシート１３を牽引して行くが、上昇するときシート１３を弛ませる方向に移動すると巻取りドラム５に内蔵された巻き上げばねの付勢力で、巻取りドラム５が回転してシート１３を上昇させる。
【００１８】
支持軸１１の両端に軸着された駆動輪１２は、上述した上昇ヒモ１４と下降ヒモ１５を巻回して移動する作用を説明したが、別例としてガイドレール１９と縦レール２０に係合溝（ラック・チェン・タイミングベルト等の歯部）を縦方向に張り付け、駆動輪１２を係合溝に係着するピニオン・スプロケット・タイミングプーリにした係合部により移動可能にしてもよい。
【００１９】
（第２実施形態）
この実施形態では図３乃至図５で示し、開閉駆動装置１を水平方向にシート１３を移動して説明する。採光部Ｓの上部には開閉駆動装置１を備え、開閉駆動装置１の横レール２１に摺動する複数の吊下げ体２３からシート１３を吊下げて、吊下げ体２３を移動させることでシート１３が採光部Ｓを開閉するものである。横レール２１内には、駆動モータ２により回転する伝達軸３が水平の移動方向に配置してあり、伝達軸３に沿ってシート１３を開閉する。
【００２０】
横レール２１は、採光部Ｓの上部のみの一方に水平に配置してあり、開閉するシート１３の支持と移動を案内すると共に、各駆動装置の保護をするカバーの作用と意匠的な効果がある。伝達軸３は、一方を図示略の駆動モータ２の回転により回転して、他方を軸受により回転自在に支持して、断面を丸形ではなく、半丸・角状・異形状等の円周方向に回転するときに係合する形状とした係合部３２を設け、長手方向には係合箇所がなく摺動可能にしている。
【００２１】
図３は、伝達軸３より駆動源を供給してシート１３を牽引するフレーム８の駆動装置を示し、フレーム８に軸着された第１回転伝達体９と第２回転伝達体１０が噛合い、第２回転伝達体１０の回転を駆動輪１２に伝達して、駆動輪１２が横レール２１に設けられた接触体３１に当接してフレーム８を移動させる。フレーム８には、走行輪２２が備えられ、横レール２１に設けられた走行レール２４上を走行移動する。第１回転伝達体９の中心部には、係合部３２の穴があり伝達軸３の断面形状と同じ形状で摺動可能にしてあり、フレーム８の透孔１６に軸着してある。
【００２２】
第２回点伝達体１０は、フレーム８に回転可能な軸受により支承され、中心部の透孔をテーパ状にした圧接部２５として、圧接部２５に当接する同テーパ状の支持軸１１が内接されている。支持軸１１は、上部を押し上げばね２７により第２回転伝達体１０の圧接部２５に付勢され、中部から下部付近にスプライン状の係止部２８を備え、駆動輪１２を軸着して軸方向へ摺動可能にしている。
【００２３】
駆動輪１２は、接触体３１に当接して回転することで、フレーム８を移動させると、第１回転伝達体９が回転しながら伝達軸３上を摺動して移動する。駆動輪１２と接触体３１は、ラック・ピニオンとかチェン・スプロケットにして材質も金属だけでなく、ゴム・樹脂・ウレタン等により係合するものとする。
【００２４】
フレーム８は、駆動輪１２の駆動力を受け、フレーム８を支持する走行輪２２を回転して吊下げたシート１３の先端とともに移動し、シート１３の他端を吊下げた複数の吊下げ体２３を牽引して採光部Ｓを開閉動作する。
【００２５】
図４は、フレーム８がシート１３を吊下げ、横レール２１内の走行レール２４上を走行輪２２がフレーム８とシート１３の重量を支えて、駆動輪１２が接触体３１に当接した状態で回転することでフレーム８が移動する。駆動輪１２を接触体３１に当接する作用をなす摺動体２９が備えられている。摺動体２９は、ガイドレール１９に接触してばねの付勢力によりフレーム８を押圧し、フレーム８に支承された駆動輪１２を接触体３１に当接している。
【００２６】
フレーム８より吊下げられたシート１３は、解除レバー３０に固定されて、シート１３に押し上げばね２７の付勢力より大きな荷重が掛かったときに、図３〜５の下方に引き下げられ、第２回転伝達体１０と支持軸１１の圧接部２５が離間して、伝達軸３の回転の伝達を切り駆動輪１２の回転を停止させる。そして、フレーム８は停止し、吊下げ体２３の牽引も停止させることでシート１３を停止させる。また、解除レーバ３０に掛かる負荷を軽減させると、解除レーバ３０は上昇して圧接部２５が第２回転伝達体１０の回転を駆動輪１２に伝達してフレーム８を移動させる。
【００２７】
駆動輪１２は、第１実施形態で説明したように、開閉方向に上昇ヒモ１４と下降ヒモ１５を巻回させて、回転することで上昇ヒモ１４か下降ヒモ１５を引き寄せてフレーム８を移動させてもよい。
【００２８】
採光部Ｓが曲線状態のとき、伝達軸３は曲線に沿って配置される可撓体のものとし、駆動モータ２の回転を伝達する。伝達軸３の可撓体は、樹脂製・ゴム製・ばね状のもので曲線部を回転することができるものとする。採光部Ｓの上部には、曲線に沿って横レール２１が配置され、横レール２１の内部を摺動するフレーム８と複数の吊下げ体２３がシート１３を吊り下げている。
【００２９】
シート１３の移動は、駆動モータ２が回転すると伝達軸３も回転して第１回転伝達体９を回転させ、第１回転伝達体９に噛合う第２回転伝達体１０が回転して支持軸１１に伝達する。支持軸１１の回転は、フレーム８に支承された駆動輪１２を回転させてフレーム８を移動させる。フレーム８は、回転する伝達軸３を透孔１６に通過させ横レール２１に沿って、走行輪２２がシート１３の荷重を支え、走行レール２４上を回転して、ガイドレール１９の曲線に沿って移動することができる。
【００３０】
採光部Ｓの曲線に沿って移動するフレーム８に牽引される吊下げ体２３は、フレーム８と同一形状にして第１・２回転伝達体９・１０及び駆動輪１２を搭載して、走行レール２４を移動する走行輪２２を備え、支持軸１１を通過させる透孔１６を備えてシート１３を吊下げ、フレーム８の牽引により複数の吊下げ体２３が移動して採光部Ｓを開閉する。この吊下げ体２３により、曲線で可撓体の伝達軸３の弛みを取り除き移動をスムースにする。
【００３１】
【発明の効果】
請求項１の発明では、シートの先端部が駆動してシートを牽引して開閉することができるので、傾斜面・水平面・下部から上昇する採光部を遮蔽することができる効果がある。
請求項２の発明では、駆動輪が移動方向上にいるとき、駆動輪を回転させる駆動源をどの位置からでも伝達軸から供給でき、索状体を巻き上げ巻き戻しによりフレームを移動させるので、シートを牽引して移動することができる効果がある。
請求項３の発明では、採光部が曲線でも、伝達軸を曲線に沿って配置することができるので、曲線の採光部をシートが開閉することができる効果がある。
【図面の簡単な説明】
【図１】第１実施形態を示す鉛直方向の採光部を開閉する開閉駆動装置の縦断面図。
【図２】牽引するフレームの駆動部を示す断面図。
【図３】第２実施形態を示す水平方向に開閉する開閉駆動装置のフレームの正面断面図。
【図４】駆動走行するフレームの側面断面図。
【図５】シートを牽引するフレームとシートを吊り下げた吊下げ体を示す斜視図。
【符号の説明】
１      開閉駆動装置
２      駆動モータ
３      伝達軸
８      フレーム
９      第１回転伝達体
１０      第２回転伝達体
１１      支持軸
１２      駆動輪
１３      シート
１６      透孔
１７      軸受
１９      ガイドレール
２０      縦レール
２１      横レール
２２      走行輪
２３      吊下げ体
２４      走行レール
２７      押し上げばね
３２      係合部
Ｓ      採光部
【図１】
0004140145.tif 000002
【図２】
0004140145.tif 000003
【図３】
0004140145.tif 000004
【図４】
0004140145.tif 000005
【図５】
0004140145.tif 000006